(57)【要約】      （修正有）【課題】開閉が容易で把持しやすい形状のキャップ部を備えたパウチ型化粧品パッケージ本体を提供する。【解決手段】パッケージ本体と、化粧品パッケージ本体を開閉するキャップ部２と、内部が中空でパッケージ本体とキャップ部２とを接続する接続部３とを備え、接続部３の端部４は、キャップ部２に対応する取り付け手段であり、接続部３の端部は、パッケージ本体に対応する取り付け手段であって、パッケージ本体は、化粧品を含有する空間を備えたパウチ形状を有し、キャップ部は、接続部３およびパッケージ本体に挿入可能なロッド７を有し、ロッド７は、化粧品に接触し、かつ使用のためにパッケージ本体から化粧品を取り出す端部を有し、接続部３内において、ロッド７に取り付けられ、キャップ部２を引っ張って使用するときにパッケージ本体内の化粧品を保護する保護部を有する。【選択図】図３
0003224162.tif 000002
【実用新案登録請求の範囲】
【請求項１】
パッケージ本体（１）と、
化粧品パッケージ本体を開閉するキャップ部（２）と、
内部が中空でパッケージ本体（１）とキャップ部（２）とを接続する接続部（３）と、を備え、
前記接続部（３）の端部（４）は、キャップ部（２）に対応する取り付け手段であり、
前記接続部（３）の端部（５）は、パッケージ本体（１）に対応する取り付け手段である化粧品パッケージであって、
パッケージ本体（１）は、化粧品を含有する空間を備えたパウチ形状を有し、
前記キャップ部（２）は少なくとも１つの角部を備えた幾何学的外観を有し、
前記キャップ部は、前記接続部（３）および前記パッケージ本体（１）に挿入可能なロッド（７）を有し、
前記ロッド（７）は、前記化粧品に接触し、かつ使用のために前記パッケージ本体（１）から化粧品を取り出す端部（８）を有し、
前記接続部（３）内において、前記ロッド（７）に取り付けられ、前記キャップ部（２）を引っ張って使用するときにパッケージ本体（１）内の化粧品を保護する保護部（６）があることを特徴とする、
化粧品パッケージ。
【請求項２】
内部が中空であり、前記接続部（３）の基部（９）と前記キャップ部（２）の基部（１０）とを接続するロック部（１１）をさらに含む、請求項１に記載のパッケージ。
【請求項３】
前記保護部（６）は、前記接続部（３）の内側の除去部である、請求項１または２に記載のパッケージ。
【請求項４】
前記キャップ部（２）が八角形の円筒形状である、請求項１〜３のいずれか一項に記載のパッケージ。
【請求項５】
接続部（３）の端部（５）をパッケージ本体（１）に取り付けるために選択された手段が接着剤である、請求項１〜４のいずれか一項に記載のパッケージ。
【請求項６】
前記接続部（３）の端部（４）をキャップ部（２）に取り付けるための選択された手段がネジ込みであり、前記接続部（３）の端部（４）がネジ込みであり、前記接続部（３）の端部（４）は、キャップ部（２）のネジ（１３）と一致するネジ（１２）である、請求項１〜５のいずれか一項に記載のパッケージ。
【請求項７】
前記端部（８）がスポンジである、請求項１〜６のいずれか一項に記載のパッケージ。
【請求項８】
前記端部（８）がブラシである、請求項１〜６のいずれか一項に記載のパッケージ。
【請求項９】
前記スポンジは、湾曲した端部を有する、請求項７に記載のパッケージ。
【請求項１０】
前記ブラシが凹んだ中央部分を有する、請求項８に記載のパッケージ。
【考案の詳細な説明】
【技術分野】
【０００１】
本考案は、容易にアクセス可能な化粧品パッケージ、特に化粧用の化粧品パッケージに関する。
【背景技術】
【０００２】
化粧品は、一般的なクレンジング製品に加えて、人体の美しさを高めるために使用される物質である。現在、さまざまな種類の化粧品がある。例えば、日常生活で使用されるパウダー、口紅、コンシーラー、アイシャドウ、マスカラなどである。これらのアイテムは、すべての性別と年齢の間で非常に人気がある。したがって、便利な使用のための化粧品パッケージが不可欠になっている。
【０００３】
今日、化粧品市場では、各タイプの化粧品の保管と使用に対応するさまざまな形の化粧品パッケージが開発されている。例えば、パウダーパフ容器は、スポンジ貯蔵部の追加により改善されてきた。これは、例えば、２つのレベルを持つ容器を形成することによって行われる。上部レベルは、例えばパフスポンジの保管に使用される。さまざまな形の化粧品パッケージが開発されてきたことは、各タイプの口紅の使用に応じて改善されてきた口紅パッケージから理解される。例えば、スティックに含まれて使用時に突出させられる口紅、絞るべきチューブに含まれて唇に使用する液体リップグロス、又は、唇に化粧品を使用する際に使用する浸漬棒や丸いまたは傾斜したアプリケーターなどを用いた使用のために小さなボトルに含まれるリップグロスである。
【０００４】
消費者の需要に関するマーケティング調査の結果、小型で携帯可能な化粧品パッケージが改善された。化粧品は小さなパウチに入れられ、使用中はキャップが開けられ、次の使用のために保管中は閉じられる。この目的のため、パッケージ内の化粧品の量は、日常生活で少量の化粧品の使用を望み、かつファッショナブルな理由と携帯性のために化粧品を変更する消費者の要求に応じて、従来のパッケージに含まれるものよりも少ない。
【考案の概要】
【考案が解決しようとする課題】
【０００５】
しかし、小さなパウチパッケージには、実際の使用中にまだ問題がある。すなわち、キャップは握りにくいため、使用中にキャップを開けて扱うのが難しい。また、パッケージに含まれる化粧品を小出しする（分配する）ことは困難であり、パウチのサイズが小さいために汚れやすくなる。したがって、小さなパウチパッケージは、本当に簡単にはアクセスできないと考えられる。
【０００６】
前述のパッケージまたは作業により、このような技術的問題を解決できる小型のパウチの化粧品パッケージの考案がもたらされた。また、使用中の利便性を提供し、製品の品質を維持し、実際の使用に適した状態で消費者が容易にアクセスできる。
【課題を解決するための手段】
【０００７】
本考案は、パッケージ本体と、化粧品パッケージを開閉するキャップ部と、内部が中空でパッケージ本体とキャップ部とを連結する連結部とを備える化粧用パッケージに関し、連結部の端部は、キャップ部に対応する取り付け手段であり、接続部の端部は、化粧品を収容する空間を有するパウチ形状を有するパッケージ本体に関連する。接続部の端部は、キャップ部に対応する取り付け手段であり、接続部の端部は、パッケージ本体に対応する取り付け手段である。パッケージ本体は、化粧品を含有する空間を備えたパウチ形状を有する。キャップ部は、接続部およびパッケージ本体に挿入可能なロッドを有する。ロッドは、化粧品に接触し、かつ使用のために前記パッケージ本体から化粧品を取り出す端部を有する。接続部内において、ロッドに取り付けられ、キャップ部を引っ張って使用するときにパッケージ本体内の化粧品を保護する保護部がある。
【０００８】
本考案は、開閉および把持が容易な形状のキャップ部を開示することを目的とする。キャップ部はまた、顔に容易に適用されるパウチ型パッケージから化粧品を分配する際に使用されるパウチ型パッケージに挿入可能なロッドを含む。連結部とパウチ型パッケージの内部には、キャップ部を引き出して使用する際にパウチ型パッケージから分配された化粧品がロッドを汚さないようにする保護部がある。したがって、本考案に係る開示は、化粧品が小さなパウチに含まれるという事実にもかかわらず、使用中に容易な把持でき汚れることなく化粧品パッケージの開閉を可能にすることにより、既存の技術的問題を解決できる。また、使用中にパウチ型パッケージから化粧品を分配するのが便利でもある。
【図面の簡単な説明】
【０００９】
【図１】図１は、本考案に係る化粧品パッケージを示す。
【図２Ａ】図２Ａは、本考案に係る化粧品パッケージの接続部（３）の部材を示す図である。
【図２Ｂ】図２Ｂは、本考案に係る化粧品パッケージの接続部（３）の上面図を示す。
【図３】本考案に係る化粧品パッケージのキャップ部（２）の基部（１０）に接続部（３）の端部（４）が隣接するときの図である。
【図４Ａ】図４Ａは、本考案に係る化粧品パッケージのキャップ部（２）の部材を示す。
【図４Ｂ】図４Ｂは、本考案に係る化粧品パッケージのキャップ部（２）の斜視図を示す。
【図５Ａ】図５Ａは、本考案に係る化粧品パッケージの接続部（３）とキャップ（２）を接続するロック部（１１）を示す。
【図５Ｂ】図５Ｂは、本考案に係る化粧品パッケージのロック部（１１）を示す。
【図６】図６は、本考案に係る化粧品パッケージのスポンジタイプの端部（８）を示す。
【図７】図７は、本考案に係る化粧品パッケージのブラシ型の端部（８）を示す。
【考案を実施するための形態】
【００１０】
「本考案の実施形態」という用語は、必ずしも本考案の一実施形態を指すものではない。本考案の実施形態の範囲および主題の範囲内で、本考案の複数の実施形態を組み合わせ、および／または、置換することができる。
【００１１】
「および／または」の使用は、一緒に示された１つまたは複数の部分の任意の可能な組み合わせを指し、含み得る。
【００１２】
本明細書で使用される技術用語は、特に明記しない限り、当業者によって理解されるように解釈されるべきである。
【００１３】
本考案は、パッケージ本体（１）と、化粧品パッケージ本体を開閉するキャップ部（２）と、内部が中空でパッケージ本体（１）とキャップ部（２）とを接続する接続部（３）とを備え、前記接続部（３）の端部（４）は、キャップ部（２）に対応する取り付け手段であり、前記接続部（３）の端部（５）は、パッケージ本体（１）に対応する取り付け手段である化粧品パッケージであって、パッケージ本体（１）は、化粧品を含有する空間を備えたパウチ形状を有し、前記キャップ部は、前記接続部（３）および前記パッケージ本体（１）に挿入可能なロッド（７）を有し、前記ロッド（７）は、前記化粧品に接触し、かつ使用のために前記パッケージ本体（１）から化粧品を取り出す端部（８）を有し、前記接続部（３）内において、前記ロッド（７）に取り付けられ、キャップ部（２）を引っ張って使用するときにパッケージ本体（１）内の化粧品を保護する保護部（６）があることを特徴とする、化粧品パッケージに関する。
【００１４】
本考案の一実施形態では、化粧品パッケージは、内部が中空であり、接続部（３）の基部（９）とキャップ部（２）の基部（１０）を接続するロック部（１１）をさらに含む。
【００１５】
本考案の一実施形態では、保護部（６）は、接続部（３）の内側の除去部である。
【００１６】
本考案の一実施形態では、キャップ部（２）は八角形の円筒形状である。
【００１７】
本考案の一実施形態では、接続部（３）の端部（５）をパッケージ本体（１）に取り付けるための選択された手段は接着剤である。
【００１８】
本考案の一実施形態では、接続部（３）の端部（４）をキャップ部（２）に取り付けるための選択された手段はネジ込みであり、接続部（３）の端部（４）はキャップ部（２）のネジ（１３）に一致するネジ（１２）である。
【００１９】
本考案の一実施形態では、端部（８）はスポンジである。
【００２０】
本考案の一実施形態では、端部（８）はブラシである。
【００２１】
本考案の一実施形態では、端部（８）のスポンジは湾曲した端部を有する。
【００２２】
本考案の一実施形態では、端部（８）のブラシは、凹んだ中央部を有する。
【００２３】
次に、本考案に係る化粧品パッケージについて説明するが、本考案を何ら制限するものではない。
【００２４】
図１は、本考案に係る化粧品パッケージを示しており、化粧品パッケージは、化粧品を収容する空間を有するパウチ形状を有するパッケージ本体（１）、化粧品パッケージを開閉するためのキャップ部（２）、および、パッケージ本体とキャップ部（２）を接続する接続部（３）を含む。
【００２５】
図２Ａは、本考案に係る化粧品パッケージの接続部（３）の部材を示す。接続部（３）は内部が中空で、パッケージ本体とキャップ部（２）を接続する。接続部（３）の端部（４）はキャップ部（２）に対応する取り付け手段であり、接続部（３）の端部（５）はパッケージ本体（１）に対応する取り付け手段である。特に、本考案のために接続部（３）の端部（５）をパッケージ本体（１）に取り付けるための選択された手段は、接続部（３）をパッケージ本体（１）に接続するための接着剤である。加えて、特に、本考案のために接続部（３）の端部（４）をキャップ部（２）に取り付けるための選択された手段は、ネジ部である。接続部（３）の端部（４）は、キャップ部（２）のネジ（１３）に適合するネジ（１２）である。
【００２６】
さらに、図２Ｂに示すように、接続部（３）の内側には、キャップ部（２）を引っ張って使用するときにパッケージ本体（１）内の化粧品がロッド（７）を汚すのを防止する際に使用される保護部（６）がある特に、保護部（６）は、接続部（３）の内側の除去部である。したがって、パッケージ本体（１）内の化粧品は使用中にこぼれ出ることはない。この目的のために、除去部である保護部（６）のサイズは、当該保護部がロッド（７）から化粧品を除去することを可能にするように、ロッド（７）のサイズと一致する。また、接続部（３）がキャップ部（２）のロッド（７）と係合した後、ロッド（７）が接続部（３）および保護部（６）に挿入され、ネジを使用して閉じられる。すると、図３に示すように、接続部（３）の端部（４）の基部（９）がキャップ部（２）の基部（１０）に隣接する。
【００２７】
図４Ａおよび図４Ｂに示すように、本考案に係るキャップ部（２）は、パッケージの開閉中の把持の容易さおよび使用中の保持の容易さのために、少なくとも１つの角部を有する幾何学的外観により改善されている。特に、本考案のキャップ部（２）は、八角形の円筒形状である。
【００２８】
図４Ａおよび４Ｂは、接続部（３）およびパッケージ本体（１）に挿入可能なロッド（７）を備えたキャップ部（２）も示している。この目的のために、ロッド（７）は、化粧品に接触し、使用のためにパッケージ本体から化粧品を取り出す端部（８）を有する。これに関連して、図４Ｂは、接続部（３）の端部（４）のネジ山付きネジ（１２）に適合するキャップ部（２）のネジ山付きネジ（１３）も示している。
【００２９】
図５Ａおよび図５Ｂに示すように、本考案に係る化粧品パッケージは、本考案に係るパッケージの開封を防止するために、内部が中空であり、かつ接続部（３）の基部（９）とキャップ部（２）の基部（１０）とを接続するロック部（１１）をさらに含む。これにより、様々な場所へのパッケージの輸送が容易になる。
【００３０】
上述のように、キャップ部（２）は、化粧品に接触し、使用のためにパッケージ本体（１）から化粧品を取り出す端部（８）を有するロッド（７）を含む。本考案に係る端部（８）は、スポンジである。特に、図６に示すように、瞼や唇などの顔の部分に合わせて湾曲した端を持つスポンジである。
【００３１】
加えて、本考案に係る端部（８）は、ブラシであってもよく、特に、顔の部分、例えば図７に示されるような睫毛に適合する凹んだ中央部を有するブラシであってもよい。
【００３２】
本考案に係る化粧品パッケージは、様々なタイプの化粧品、例えば、口紅、コンシーラー、アイシャドウ、マスカラ、スキンケアまたは日焼け止め製品などを含むことができる。しかし、そのような開示は、実用新案登録請求の範囲で特定される範囲内にある限り、本考案をそれに限定することを意図するものではない。
【００３３】
上述したように、本考案に係るパッケージは、化粧品が小さなパウチに収容されているという事実にもかかわらず、使用中の汚れの保護と共に開閉と把持の容易さを備えた化粧品パッケージを提供することにより、このような技術的問題を解決できる。また、使用中にパウチタイプのパッケージから化粧品を取り出すのも簡単である。
【図１】
0003224162.tif 000003
【図２Ａ】
0003224162.tif 000004
【図２Ｂ】
0003224162.tif 000005
【図３】
0003224162.tif 000006
【図４Ａ】
0003224162.tif 000007
【図４Ｂ】
0003224162.tif 000008
【図５Ａ】
0003224162.tif 000009
【図５Ｂ】
0003224162.tif 000010
【図６】
0003224162.tif 000011
【図７】
0003224162.tif 000012